(57)【特許請求の範囲】
【請求項１】
主電極が配設される第１の基板とアドレス電極が配設される第２の基板とを放電空間を介して対向配置したプラズマディスプレイパネルを備え、該プラズマディスプレイパネルにリセット期間とアドレス期間とサステイン期間とからなる複数のサブフィールドによって中間調表示させるプラズマディスプレイ装置において、
前記プラズマディスプレイパネルの周囲光の強度を検出する光検出部と、該光検出部の検出結果である光の強度に基づいて、前記プラズマディスプレイパネルに表示された表示面のピーク輝度を調整可能なピーク輝度調整回路及び前記表示面の背景輝度を調整可能な背景輝度調整回路を具備する輝度調整部とを備え、
前記ピーク輝度調整回路は、前記光検出部により検出された光の強度が第１の区分の光の強度よりも大きい第２の区分の光の強度である場合、前記サステイン期間におけるサステインパルス数を前記光の強度が前記第１の区分の光の強度である場合よりも増加させる一方、前記光検出部から与えられた光の強度が前記第１の区分の光の強度よりも小さい第３の区分の光の強度である場合、前記サステイン期間におけるサステインパルス数を前記光の強度が前記第１の区分の光の強度である場合よりも減少させるようになしてあり、
前記背景輝度調整回路は、前記光検出部により検出された光の強度が前記第１の区分の光の強度よりも小さい前記第３の区分の光の強度である場合、前記リセット期間におけるリセットパルスの電圧レベルを前記光の強度が前記第１の区分の光の強度である場合よりも低下させるようになしてあることを
特徴とするプラズマディスプレイ装置。
【請求項２】
請求項１記載のプラズマディスプレイ装置において、
前記光検出部により検出された光の強度が前記第１の区分の光の強度よりも小さい前記第３の区分の光の強度である場合は更に、前記ピーク輝度調整回路は前記アドレス期間のアドレス幅及び／若しくはスキャンパルス幅を前記光の強度が前記第１の区分の光の強度である場合よりも広くするようになしてあり、並びに／又は前記背景輝度調整回路は前記リセット期間のリセットパルス幅を前記光の強度が前記第１の区分の光の強度である場合よりも広くするようになしてあることを
特徴とするプラズマディスプレイ装置。
【請求項３】
請求項１又は２記載のプラズマディスプレイ装置において、
前記光検出部により検出された光の強度が前記第１の区分の光の強度よりも小さい前記第３の区分の光の強度である場合は更に、前記ピーク輝度調整回路はサステイン期間におけるサステインパルス幅を前記光の強度が前記第１の区分の光の強度である場合よりも広くするようになしてあることを
特徴とするプラズマディスプレイ装置。
【発明の詳細な説明】
【０００１】
【発明の属する技術分野】
本発明は、リセット期間、アドレス期間及びサステイン期間からなるサブフィールドを複数組み合わせてフィールドを構成して一画面を表示するプラズマディスプレイ装置に関し、特に周囲の光の強度に応じて画面中の輝度を変化させるプラズマディスプレイ装置に関する。
【０００２】
【従来の技術】
従来、この種のプラズマディスプレイ装置としては、特開平１０−２０７４２６号に開示されるものがあり、以下図５ないし図８に基づいて説明する。図５は従来のプラズマディスプレイ装置の全体ブロック構成図、図６ないし８は従来のプラズマディスプレイ装置におけるフィールド構成図を示す。
【０００３】
前記図５において従来のプラズマディスプレイ装置は、プラズマディスプレイパネル１０１と、アドレス電極の駆動を制御するアドレス電極駆動回路１０２と、Ｙ電極の駆動を制御するＹ電極駆動回路１０４と、Ｘ電極の駆動を制御するＸ電極駆動回路１０３と、画像信号が入力されるフレームメモリ１０６と、このフレームメモリ１０６の書き込みを制御するメモリ書き込み制御回路１０７と、フレームメモリ１０６の読み出しを制御するメモリ読み出し制御回路１０８と、アドレス電極、Ｘ電極及びＹ電極へ供給する各種駆動パルスを発生させる駆動パルス発生回路１０９と、主として光センサ回路からなって周囲の明るさを検出する周囲光検出回路１０５と、各サブフィールドで同じ比率で増減させる制御信号を駆動パルス発生回路１０９に供給するサブフィールド維持放電回数制御回路１１０と、各サブフィールドの維持放電期間後の休止期間の総和を検出するフィールド休止期間検出回路１１１と、総休止期間を１フィールド内のどの位置に配置するかを割り当てる休止期間再配置制御回路１１２とを備える構成である。
【０００４】
従来のプラズマディスプレイ装置の駆動動作は、図６が示すように１フィールド（１フレームともいう）を複数のサブフィールド（サブフレーム）に分割して画像信号の中間調表示を行うようにし、前記サブフィールドをリセット期間、アドレス期間及び維持放電期間とで構成し、前記維持放電期間において前記画像信号の中間調表示に必要な回数だけ維持放電を行うように駆動する駆動動作において、周囲光検出回路１０５がプラズマディスプレイパネル１０１の周囲の明るさを検出し、サブフィールド維持放電回数制御回路１１０がこの検出結果に応じて１フィールド中の各サブフィールドにおける維持放電期間長を各サブフィールドで同じ比率で増減させ（図７を参照）、各サブフィールドの維持放電期間長を減少させた場合に発生する休止期間の総期間を総休止期間としてフィールド休止期間検出回路１１１が検出し、休止期間再配置制御回路１１２が１フィールド内における休止期間を図８が示すように前記１フィールドの期間内の最後尾に再配置する構成であった。
【０００５】
このように１フィールド中の各サブフィールドにおける維持放電期間長を各サブフィールドで同じ比率で増減させて総休止期間を再配置すれば、表示する期間と休止する期間とを１フィールド期間内で分離することとなり、プラズマディスプレイパネル１０１の周囲の明るさが暗くなるほど、１フィールド期間内において表示する期間を短くすることができ、プラズマディスプレイ装置の輝度を調整する場合に、表示階調数や表示ビット精度を損なわずに維持放電回数の変更を切り替えることができ、コントラストを一定にすることができる。
【０００６】
【発明が解決しようとする課題】
プラズマディスプレイ装置の周囲の明るさの減少に応じて維持放電回数を減らしすぎると休止期間の１フィールドに占める割合が大きくなりフリッカを生じるため、プラズマディスプレイパネル１０１を正常に表示させる場合に画像の輝度の調整範囲が小さいという課題を有する。また、周囲の明るさが著しく小さい場合、各サブフィールドの維持放電期間長を同比率で減少させても背景輝度は小さくならないため、コントラスト向上が望めないという課題を有する。
【０００７】
本発明は前記課題を解決するためになされたもので、プラズマディスプレイパネルの表示品質を維持したままでプラズマディスプレイパネルに表示させる画像の輝度の調整範囲を大きくし、周囲の光の強度に応じてプラズマディスプレイパネルの輝度の調整を行って一定のコントラストを維持し、さらにより一層コントラストを向上したプラズマディスプレイ装置を提供することを目的とする。
【０００８】
【課題を解決するための手段】
本発明に係るプラズマディスプレイ装置は、主電極が配設される第１の基板とアドレス電極が配設される第２の基板とを放電空間を介して対向配置したプラズマディスプレイパネルを備え、該プラズマディスプレイパネルにリセット期間とアドレス期間とサステイン期間とからなる複数のサブフィールドによって中間調表示させるプラズマディスプレイ装置において、前記プラズマディスプレイパネルの周囲光の強度を検出する光検出部と、該光検出部の検出結果である光の強度に基づいて、前記プラズマディスプレイパネルに表示された表示面のピーク輝度を調整可能なピーク輝度調整回路及び前記表示面の背景輝度を調整可能な背景輝度調整回路を具備する輝度調整部とを備え、前記ピーク輝度調整回路は、前記光検出部により検出された光の強度が相対的に大きい場合、前記サステイン期間におけるサステインパルス数を相対的に増加させる一方、前記光検出部から与えられた光の強度が相対的に小さい場合、前記サステイン期間におけるサステインパルス数を相対的に減少させるようになしてあり、前記背景輝度調整回路は、前記光検出部により検出された光の強度が相対的に小さい場合、前記リセット期間におけるリセットパルスの電圧レベルを相対的に低下させるようになしてある。このように本発明においては、光検出部で検出された周囲の光の強度によって輝度調整部が背景輝度を調整するので、任意の環境下でピーク輝度及び背景輝度より決定されるコントラストを一定以上保つことができる。
【０００９】
また、本発明においては、光検出部で検出された周囲の光の強度によって前記輝度調整部がパルス形状、サブフィールド数、サステインパルス数の少なくとも一つを変化させているので、周囲の光に応じてピーク輝度及び／又は背景輝度を変更でき、確実にコントラストを一定以上保つことができる。
【００１０】
また、本発明においては、周囲の光が小さくなるに従って前記輝度調整部の背景輝度調整回路が背景輝度を小さくするので、暗室下でパネル上に暗い部分を表示する場合に明るすぎない適切な輝度で表示ができ、一定以上のコントラストを維持できる。
【００１１】
また、本発明においては、周囲の光の強度が小さくなるに従って前記輝度調整部のピーク輝度調整回路がピーク輝度を小さくするので、暗室下でパネル上に明るい部分を表示する場合に明るすぎない適切な輝度で表示ができる。
【００１２】
また、本発明においては、周囲の光の強度が小さくなるに従って前記輝度調整部の背景輝度調整回路がリセットパルスの電圧レベルを低くしているので、背景輝度を小さくすることができる。
【００１３】
また、本発明においては、周囲の光の強度が小さくなるに従って前記輝度調整部のピーク輝度調整回路がサステイン期間のサステインパルス数を減少させているので、階調数を減少させることなくピーク輝度を小さくすることができる。
【００１４】
また、本発明に係るプラズマディスプレイ装置は必要に応じて、前記光検出部により検出された光の強度が相対的に小さい場合は更に、前記ピーク輝度調整回路は前記アドレス期間のアドレス幅及び／若しくはスキャンパルス幅を相対的に広くするようになしてあり、並びに／又は前記背景輝度調整回路は前記リセット期間のリセットパルス幅を相対的に広くするようになしてある。このように本発明においては、周囲の光の強度が小さくなるに従ってプラズマディスプレイパネルの輝度を調整することで生じる余剰時間で前記輝度調整部がリセットパルス幅、アドレスパレス幅及び／又はスキャンパルス幅を広くするので、動作マージンの低下を招くことなく、コントラストの維持をすることができる。
【００１５】
また、本発明に係るプラズマディスプレイ装置は必要に応じて、前記光検出部により検出された光の強度が相対的に小さい場合は更に、前記ピーク輝度調整回路はサステイン期間におけるサステインパルス幅を相対的に広くするようになしてある。このように本発明においては、周囲の光の強度が小さくなるに従ってプラズマディスプレイパネルの輝度を調整することで生じる余剰時間で前記輝度調整部のピーク輝度調整回路がサステインパルス幅を広くするので、動作マージンの低下を招くことなく、コントラストの維持をすることができる。
【００１６】
また、本発明に係るプラズマディスプレイ装置は必要に応じて、前記輝度調整部が、前記光検出部により検出された光の強度が大きくなるに従い、１フィールドを構成する複数のサブフィールドのいずれか１つ以上のサブフィールドを削除し、サブフィールドの削除により生じる余剰時間にサステイン期間におけるサステインパルス数を増加させるものである。このように本発明においては、周囲の光の強度が大きくなるに従って前記輝度調整部がサブフィールドを削除し、サブフィールドの削除により生じる余剰時間でサステインパルス数を増加させているので、ピーク輝度を著しく大きくすることができる。
【００１７】
【発明の実施の形態】
（本発明の第１の実施形態）
本発明の第１の実施形態に係るプラズマディスプレイ装置を、図１ないし図４に基づいて説明する。図１は本実施形態に係るプラズマディスプレイ装置の全体ブロック構成図、図２は本実施形態に係るプラズマディスプレイ装置におけるフィールド構成図、図３は図２記載のサブフィールドの駆動パルス波形図、図４は本実施形態に係るプラズマディスプレイ装置におけるピーク輝度調整回路及び背景輝度調整回路の制御による波形形状の変化図を示す。
【００１８】
前記図１においてプラズマディスプレイ装置は、放電により画面表示を行うプラズマディスプレイパネル１と、このプラズマディスプレイパネル１のアドレス電極の駆動を制御するアドレス電極駆動回路２と、プラズマディスプレイパネル１のＸ電極の駆動を制御するＸ電極駆動回路３と、プラズマディスプレイパネル１のＹ電極の駆動を制御するＹ電極駆動回路４と、プラズマディスプレイパネル１の周囲の光（以下「周囲の光」を「周囲光」とする。）の強度を検出する光検出回路５と、この光検出回路５により検出された周囲光の強度に基づいてピーク輝度を調整可能なピーク輝度調整回路６１及びこの光検出回路５により検出された周囲光の強度に基づいて背景輝度を調整可能な背景輝度調整回路６２からなる輝度調整回路６とを備える構成である。
【００１９】
前記光検出回路５は、プラズマディスプレイパネル１の周囲光を検出可能となるようにプラズマディスプレイパネル１の周辺に配設され、例えばフォトトランジスタを用いた照度センサが用いられている。これは、フォトトランジスタが比較的小型の素子であるために、プラズマディスプレイ装置に対して大きな領域を必要としないからである。さらに、フォトトランジスタが人の比視感度ピークに近い感度を持ち、液晶のバックライト制御やカメラのストロボ制御等に採用されているからである。この光検出回路５は、フォトトランジスタを用いてプラズマディスプレイパネル１の周囲光の強度を検出すると、検出結果である光の強度をピーク輝度調整回路６１及び背景輝度調整回路６２に出力する。
【００２０】
前記ピーク輝度調整回路６１は、光検出回路５で検出された光の強度に基づいてピーク輝度を調整するために、Ｘ電極駆動回路３及びＹ電極駆動回路４を制御可能とし、光の強度が大きい場合にサステインパルスの数を増加させ、光の強度が小さい場合にサステインパルスの数を減少させる。ピーク輝度調整回路６１による光の強度に基づくサステインパルスの制御は、光の強度を数段階に区分し、その区分に対応してサステインパルスの数が決定されるようにする。この制御は、回路で実現しても構わないし、別にＲＯＭを備えさせ光の強度をキーとしてＲＯＭの中からサステインパルス数を読み出して実現してもよい。
【００２１】
前記背景輝度調整回路６２は、光検出回路５で検出された光の強度に基づいて背景輝度を調整するために、Ｘ電極駆動回路３、Ｙ電極駆動回路４及びアドレス電極駆動回路２を制御可能とし、光の強度が小さい場合にリセットパルスの電圧レベルを小さくしている。背景輝度調整回路６２による光の強度に基づくリセットパルスの制御は、ピーク輝度調整回路６１と同様に、光の強度を数段階に区分し、その区分に対応してリセットパルスの電圧レベルが決定されるようにする。この制御は、回路で実現しても構わないし、別にＲＯＭを備えさせ光の強度をキーとしてＲＯＭの中からリセットパルスの電圧レベルを読み出して実現してもよい。
【００２２】
プラズマディスプレイ装置では、図２が示すように１フィールドを複数のサブフィールドに分割してセルに対するサステインパルス数を制御することで階調表示を行っている。各サブフィールドは、図３が示すように全てのセルの壁電荷を均一とするためのリセット期間、表示のための点灯セルを選択する（放電させる）アドレス期間、選択された点灯セルの放電を維持するサステイン期間からなる。
【００２３】
前記構成において本実施形態に係るプラズマディスプレイ装置の動作について複数の環境下（太陽光下、蛍光灯下及び暗室下）で実施した場合について説明する。ここで、便宜のためピーク輝度調整回路６１及び背景輝度調整回路６２における光の強度の区分をＬ１（光の強度が大きい、例えば太陽光下の光の強度）、Ｌ２（光の強度が大きくもなく小さくもなく、例えば蛍光灯下の光の強度で、Ｌ１の光の強度より小さい）、Ｌ３（光の強度が小さく、例えば暗室下の光の強度で、Ｌ２の光の強度より小さい）の３段階とする。この区分は任意段階に設定することができ、一定のコントラストの維持の観点のみから言うと、段階を多くするほど、精度の高いコントラストの維持を実現することができる。
【００２４】
まず、プラズマディスプレイ装置を蛍光灯下の環境で動作させた場合について説明する。光検出回路５はフォトトラジスタによりプラズマディスプレイパネル１の周囲光の強度を検出し、検出結果である光の強度をピーク輝度調整回路６１及び背景輝度調整回路６２に出力する。この場合において光検出回路５は、光の強度の変化が短時間に頻繁に変化する場合に光の強度を検出するだけとし、検出結果をピーク輝度調整回路６１及び背景輝度調整回路６２に出力しないようにすることもでき、周囲光が安定しない場合にピーク輝度調整回路６１及び背景輝度調整回路６２の不必要な制御を防止することができる。
【００２５】
ピーク輝度調整回路６１は光検出回路５から入力されたプラズマディスプレイパネル１の周囲光の強度が区分Ｌ２であると判別し、区分Ｌ２に対応するサステインパルス数が通常のサステインパルス数であると予め設定していることから、この通常のサステインパルス数でＸ電極駆動回路３及びＹ電極駆動回路４をサステイン期間において制御する。
また、背景輝度調整回路６２は光検出回路５から入力されたプラズマディスプレイパネル１の周囲光の強度が区分Ｌ２であると判別し、区分Ｌ２に対応するリセットパルスの電圧レベルが通常のリセットパルスの電圧レベルであると予め設定していることから、この通常電圧レベルのリセットパルスでＸ電極駆動回路３及びＹ電極駆動回路４をリセット期間において制御する。
【００２６】
次に、プラズマディスプレイ装置を太陽光下の環境で動作させた場合について説明する。光検出回路５はフォトトランジスタによりプラズマディスプレイパネル１の周囲光の強度を検出し、検出結果である光の強度をピーク輝度調整回路６１及び背景輝度調整回路６２に出力する。
ピーク輝度調整回路６１は光検出回路５から入力されたプラズマディスプレイパネル１の周囲光の強度が区分Ｌ１であると判別し、前記区分Ｌ２よりもサステインパルス数を増加させている当該区分Ｌ１のサステインパルス数でＸ電極駆動回路３及びＹ電極駆動回路４をサステイン期間において制御する。
【００２７】
また背景輝度調整回路６２は光検出回路５から入力されたプラズマディスプレイパネル１の周囲光の強度が区分Ｌ１であると判別し、前記区分２のリセットパルスと同じ電圧レベルに設定された当該区分Ｌ１のリセットパルスでＸ電極駆動回路３及びＹ電極駆動回路４をリセット期間において制御する。このようにサステインパルス数を通常（区分Ｌ２）より増加させた状態でＸ電極駆動回路３及びＹ電極駆動回路４を制御することでピーク輝度が大きくなり、周囲光が明るくとも一定のコントラストの維持が可能となる。
【００２８】
次に、プラズマディスプレイ装置を暗室下の環境で動作させた場合について説明する。光検出回路５はフォトトラジスによりプラズマディスプレイパネル１の周囲光の強度を検出し、検出結果である光の強度をピーク輝度調整回路６１及び背景輝度調整回路６２に出力する。
ピーク輝度調整回路６１は光検出回路５から入力されたプラズマディスプレイパネル１の周囲光の強度が区分Ｌ３であると判別し、前記区分２よりもリセットパルス数を減少させている当該区分Ｌ３のサステインパルス数（図２参照）でＸ電極駆動回路３及びＹ電極駆動回路４をサステイン期間において制御する。
【００２９】
また、背景輝度調整回路６２は光検出回路５から入力されたプラズマディスプレイパネル１の周囲光の強度が区分Ｌ３であると判別し、前記区分Ｌ２のリセットパルスよりも電圧レベルを低くしている当該区分Ｌ３のリセットパルス（図４（Ａ）が通常のリセットパルス波形、図４（Ａ）´が電圧レベルの小さいリセットパルスの波形を示す。）でＸ電極駆動回路３及びＹ電極駆動回路４をリセット期間において制御する。このようにサステインパルス数を通常（区分Ｌ２）より減少させた状態でＸ電極駆動回路３及びＹ電極駆動回路４を制御することでピーク輝度が小さくなり、リセットパルスの電圧レベルを通常（区分Ｌ２）より低下させてＸ電極駆動回路３及びＹ電極駆動回路４を制御することで背景輝度が小さくなり、周囲光が暗くとも一定のコントラストの維持が可能となる。
【００３０】
このように本実施形態に係るプラズマディスプレイ装置によれば、プラズマディスプレイパネル１の周囲光が明るい場合はピーク輝度調整回路６１によりサステインパルス数を増加させた状態でＸ電極駆動回路３及びＹ電極駆動回路４が駆動するので、ピーク輝度が大きくなり周囲光が明るくとも一定のコントラストを維持することができ、プラズマディスプレイパネル１の周囲光が暗い場合はピーク輝度調整回路６１によりサステインパルス数を減少させた状態でＸ電極駆動回路３及びＹ電極駆動回路４が駆動するのでピーク輝度が小さくなると共に、背景輝度調整回路６２によりリセットパルスの電圧レベルを低下させた状態でアドレス電極駆動回路２、Ｘ電極駆動回路３及びＹ電極駆動回路４が駆動するので、背景輝度が小さくなり周囲光が暗くとも一定のコントラストを維持することができる。
【００３１】
（本発明の第２の実施形態）
第２の実施形態に係るプラズマディスプレイ装置について、図１ないし図４に基づいて説明する。
本実施形態に係るプラズマディスプレイ装置は、前記第１の実施形態に係るプラズマディスプレイ装置と同様に構成され、ピーク輝度調整回路６１がアドレス期間のアドレスパルス及びスキャンパルスを広幅化するようにアドレス電極駆動回路２及びＹ電極駆動回路４を制御することを異にする。
【００３２】
前記ピーク輝度調整回路６１が、光検出回路５からプラズマディスプレイパネル１の周囲光の強度を入力され、光の強度が通常より小さい場合にピーク輝度を小さくするためにサステインパルス数を減少させた場合に、１フィールド中に余剰時間が生じる。この余剰時間にアドレス期間のアドレスパルス又はスキャンパルスを広幅化する。このようにアドレス期間のアドレスパルス又はスキャンパルスを広幅化することで、精度の高いアドレッシングが可能となる。
【００３３】
次に、本実施形態に係るプラズマディスプレイ装置の動作について説明するが、プラズマディスプレイ装置を暗室下の環境で動作させた場合のみについて説明し、他のケースは第１の実施形態と同様に動作する。
光検出回路５はフォトトランジスタによりプラズマディスプレイパネル１の周囲光の強度を検出し、検出結果である光の強度をピーク輝度調整回路６１及び背景輝度調整回路６２に出力する。ピーク輝度調整回路６１は光検出回路５から入力されたプラズマディスプレイパネル１の周囲光の強度が区分Ｌ３であると判別し、区分Ｌ３に対応するサステインパルス数が通常（区分Ｌ２）より減少させたサステインパルス数であり、このサステインパルス数でＸ電極駆動回路３及びＹ電極駆動回路４を制御すると共に、このサステイン期間のサステインパルス数を減少させることで生じる余剰時間を使用してアドレス期間のアドレスパルス及びスキャンパルスを広幅にして（図４（Ｂ）が通常のアドレスパルス波形及びスキャンパルス波形、図４（Ｂ）´が広幅化したアドレスパルス波形及びスキャンパルス波形を示す。）アドレス電極駆動回路２及びＹ電極駆動回路４を制御する。背景輝度調整回路６２は光検出回路５から入力されたプラズマディスプレイパネル１の周囲光の強度が区分Ｌ３であると判別し、区分Ｌ３に対応するリセットパルスが通常（区分Ｌ２）より低いリセットパルスの電圧レベルでＸ電極駆動回路３及びＹ電極駆動回路４を制御する。
【００３４】
このようにサステインパルス数を通常より減少させた状態でＸ電極駆動回路３及びＹ電極駆動回路４を制御することでピーク輝度が小さくなり、リセットパルスの電圧レベルを通常（区分Ｌ２）より低い状態でＸ電極駆動回路３及びＹ電極駆動回路４を制御することで背景輝度が小さくなるので、周囲光が暗くとも一定のコントラストの維持が可能となると共に、アドレス期間のアドレスパルス及びスキャンパルスを広幅にしてアドレス電極駆動回路２及びＹ電極駆動回路４を制御しているので、リセットパルスの電圧レベルを通常（区分Ｌ２）より低くしたにも拘らず点灯セルの確実な選択を担保することができ、動作マージンの低下を防止することができる。
【００３５】
（本発明の第３の実施形態）
第３の実施形態に係るプラズマディスプレイ装置について、図１ないし図４に基づいて説明する。
本実施形態に係るプラズマディスプレイ装置は、前記第１の実施形態に係るプラズマディスプレイ装置と同様に構成され、ピーク輝度調整回路６１がサステイン期間のサステインパルスを広幅化するようにＸ電極駆動回路３及びＹ電極駆動回路４を制御することを異にする。
【００３６】
前記ピーク輝度調整回路６１は、光検出回路５からプラズマディスプレイパネル１の周囲光の強度を入力され、光の強度が通常より小さい場合にピーク輝度を小さくするためにサステインパルス数を減少させた場合に、１フィールド中に余剰時間が生じる。この余剰時間にサステイン期間のサステインパルスを広幅化する。このようにサステイン期間のサステインパルスを広幅化することで、アドレッシングで選択された点灯セルの放電を確実に行うことができる。
【００３７】
次に、本実施形態に係るプラズマディスプレイ装置の動作について説明するが、プラズマディスプレイ装置を暗室下の環境で動作させた場合のみについて説明し、他のケースは第１の実施形態と同様とする。
光検出回路５はフォトトランジスタによりプラズマディスプレイパネル１の周囲光の強度を検出し、検出結果である光の強度をピーク輝度調整回路６１及び背景輝度調整回路６２に出力する。ピーク輝度調整回路６１は光検出回路５から入力されたプラズマディスプレイパネル１の周囲光の強度が区分Ｌ３であると判別し、区分Ｌ３に対応するサステインパルス数が通常（区分Ｌ２）より減少させたサステインパルス数であり、このサステインパルス数でＸ電極駆動回路３及びＹ電極駆動回路４を制御すると共に、このサステイン期間のサステインパルスを減少させることで生じる余剰時間を使用して同期間のサステインパルスを広幅にして（図４（Ｃ）が通常のサステインパルス波形、図４（Ｃ）´が広幅化したサステインパルス波形を示す。）Ｘ電極駆動回路３及びＹ電極駆動回路４を制御する。以下背景輝度調整回路６２によるリセットパルスの電圧レベルに関するＸ電極駆動回路３及びＹ電極駆動回路４の制御は、第２の実施形態と同様である。
【００３８】
このようにサステインパルス数を通常より減少させた状態でＸ電極駆動回路３及びＹ電極駆動回路４を制御することでピーク輝度が小さくなり、リセットパルスの電圧レベルを通常より低い状態でＸ電極駆動回路３及びＹ電極駆動回路４を制御することで背景輝度が小さくなるので、周囲光が暗くとも一定のコントラストの維持が可能となると共に、サステイン期間のサステインパルスを広幅にしてＸ電極駆動回路３及びＹ電極駆動回路４を制御しているので、リセットパルスの電圧レベルを通常より低くしたにも拘らずアドレス期間に選択された点灯セルの放電を確実に引き継ぐ維持放電を発生することができ、動作マージンの低下を防止することができる。
【００３９】
（本発明のその他の実施形態）
なお、前記各実施形態に係るプラズマディスプレイ装置においては、ピーク輝度調整回路６１がサステイン期間のサステインパルス数を通常より減少させてＸ電極駆動回路３及びＹ電極駆動回路４を制御した場合に生じる余剰時間にリセット期間のリセットパルスを広幅にすることもでき、確実にプラズマディスプレイパネル１の所定箇所に所定量の壁電荷を形成することができる。
【００４０】
また、前記各実施形態に係るプラズマディスプレイ装置においては、周囲光の光の強度が小さい場合、背景輝度調整回路６２が通常より低いリセットパルスの電圧レベルでＸ電極駆動回路３及びＹ電極駆動回路４を制御することで背景輝度を小さくしていたが、フィールドを構成するサブフィールドを削除することもでき、サブフィールドの削除でリセット期間の発光回数を減少させることにより同様に背景輝度を小さくすることもできる。また、サブフィールドを削除することで生じる余剰時間で各パルスを広幅にすることもでき、動作マージンを維持することができる。
【００４１】
また、前記各実施形態に係るプラズマディスプレイ装置においては、周囲光の光の強度が大きい場合、フィールドを構成するサブフィールドを削除し、サブフィールドの削除により生じる余剰時間で前記輝度調整部がサステインパルス数を増加させることもでき、ピーク輝度を大きくしてより一層のコントラストを得ることができる。
【００４２】
【発明の効果】
以上のように本発明においては、光検出部で検出された周囲の光の強度によって輝度調整部が背景輝度を調整するので、任意の環境下でピーク輝度及び背景輝度より決定されるコントラストを一定以上保つことができるという効果を奏する。
【００４３】
また、本発明においては、光検出部で検出された周囲の光の強度によって前記輝度調整部がパルス形状、サブフィールド数、サステインパルス数の少なくとも一つを変化させているので、周囲の光に応じてピーク輝度及び／又は背景輝度を変更でき、確実にコントラストを一定以上保つことができるという効果を有する。
【００４４】
また、本発明においては、周囲の光が小さくなるに従って前記輝度調整部が背景輝度を小さくするので、暗室下でパネル上に暗い部分を表示する場合に明るすぎない適切な輝度で表示ができ、一定以上のコントラストを維持できる。
【００４５】
また、本発明においては、周囲の光の強度が小さくなるに従って前記輝度調整部がピーク輝度を小さくするので、暗室下でパネル上に明るい部分を表示する場合に明るすぎない適切な輝度で表示ができるという効果を有する。
【００４６】
また、本発明においては、周囲の光の強度が小さくなるに従って前記輝度調整部がリセットパルスの電圧レベルを低くしているので、背景輝度を小さくすることができるという効果を有する。
【００４７】
また、本発明においては、周囲の光の強度が小さくなるに従って前記輝度調整部がサステイン期間のサステインパルス数を減少させているので、階調数を減少させることなくピーク輝度を小さくすることができるという効果を有する。
【００４８】
また、本発明においては、周囲の光の強度が小さくなるに従ってプラズマディスプレイパネルの輝度を調整することで生じる余剰時間で前記輝度調整部がリセットパルス幅、アドレスパレス幅及び／又はスキャンパルス幅を広くするので、動作マージンの低下を招くことなく、コントラストの維持をすることができるという効果を有する。
【００４９】
また、本発明においては、周囲の光の強度が小さくなるに従ってプラズマディスプレイパネルの輝度を調整することで生じる余剰時間で前記輝度調整部がサステインパルス幅を広くするので、動作マージンの低下を招くことなく、コントラストの維持をすることができるという効果を有する。
【００５０】
また、本発明においては、周囲の光の強度が大きくなるに従って前記輝度調整部がサブフィールドを削除し、サブフィールドの削除により生じる余剰時間でサステインパルス数を増加させているので、ピーク輝度を著しく大きくすることができるという効果を有する。
【図面の簡単な説明】
【図１】本発明の各実施形態に係るプラズマディスプレイ装置の全体ブロック構成図である。
【図２】本発明の各実施形態に係るプラズマディスプレイ装置におけるフィールド構成図である。
【図３】図２記載のサブフィールドの駆動パルス波形図である。
【図４】本発明の各実施形態に係るプラズマディスプレイ装置におけるピーク輝度調整回路及び背景輝度調整回路の制御による波形形状の変化図である。
【図５】従来のプラズマディスプレイ装置の全体ブロック構成図である。
【図６】従来のプラズマディスプレイ装置におけるフィールド構成図である。
【図７】従来のプラズマディスプレイ装置におけるフィールド構成図である。
【図８】従来のプラズマディスプレイ装置におけるフィールド構成図である。
【符号の説明】
１、１０１  プラズマディスプレイパネル
２、１０２  アドレス電極駆動回路
３、１０３  Ｘ電極駆動回路
４、１０４  Ｙ電極駆動回路
５  光検出回路
６１  ピーク輝度調整回路
６２  背景輝度調整回路
１０５  周囲光検出回路
１０６  フレームメモリ
１０７  メモリ書き込み制御回路
１０８  メモリ読み出し制御回路
１０９  駆動パルス発生回路
１１０  サブフィールド維持放電回数制御回路
１１１  フィールド休止期間検出回路
１１２  休止期間再配置制御回路
【図１】
0004310075.tif 000002
【図２】
0004310075.tif 000003
【図３】
0004310075.tif 000004
【図４】
0004310075.tif 000005
【図５】
0004310075.tif 000006
【図６】
0004310075.tif 000007
【図７】
0004310075.tif 000008
【図８】
0004310075.tif 000009